(57)【要約】【課題】吸袋体の開口付近で良好に陰茎を固定することができる吸収性物品、および固定部材を提供する。【解決手段】固定部材６０は、採尿袋の開口に設けらたシート材であり、複数の貼り合わせ部材６３を有している。各貼り合わせ部材６３は、陰茎側の形状が曲線状となるように形成されている。また、各貼り合わせ部材６３は、隣接する貼り合わせ部材６３のうちの一方の上側となり、他方の下側となるように配置される。さらに、各貼り合わせ部材６３は、重なり部６２のうち、挿入口６０ａから見て遠方側の接合部６４で接合されている。これにより、挿入口６０ａから採尿袋内に着用者の陰茎が挿入されると、各貼り合わせ部材６３の曲線部６０ｂは、陰茎と当接して陰茎の大きさに応じて採尿袋内に折れ曲がる。そのため、挿入時に折れ曲がった曲線部６０ｂ表面からの摩擦力が陰茎に働き、陰茎の大きさによらず捕集空間３５から陰茎が抜けることを抑制できる。【選択図】図４
2009131395.tif 000002
【特許請求の範囲】
【請求項１】
開口を有する袋体として形成される吸収性物品であって、
前記袋体の前記開口に設けられており、陰茎を前記袋体内で固定する固定部材、
を備え、
前記固定部材は、
前記陰茎側の形状が曲線状となる複数の貼り合わせ部材、
を有しており、
前記固定部材の挿入口は、各貼り合わせ部材の曲線部に囲繞されることによって形成されており、
各貼り合わせ部材は、隣接する貼り合わせ部材との間の重なり部のうち、前記挿入口から見て遠方側で接合されていることを特徴とする吸収性物品。
【請求項２】
請求項１に記載の吸収性物品において、
各貼り合わせ部材は、隣接する貼り合わせ部材のうちの一方の上側となり、他方の下側となるように配置されていることを特徴とする吸収性物品。
【請求項３】
請求項１または請求項２に記載の吸収性物品において、
各貼り合わせ部材は、扇形状の部材であることを特徴とする吸収性物品。
【請求項４】
請求項１ないし請求項３のいずれかに記載の吸収性物品において、
各貼り合わせ部材の少なくとも肌面側が、不織布で構成されていることを特徴とする吸収性物品。
【請求項５】
請求項１ないし請求項４のいずれかに記載の吸収性物品において、
各貼り合わせ部材は、ポリウレタンを不織布で包被することにより形成されていることを特徴とする吸収性物品。
【請求項６】
請求項１ないし請求項５のいずれかに記載の吸収性物品において、
各貼り合わせ部材は、溶着によって接合されていることを特徴とする吸収性物品。
【請求項７】
開口を有する袋体として形成される吸収性物品につき、前記開口で陰茎を固定する固定部材であって、
前記陰茎側の形状が曲線状となる複数の貼り合わせ部材、
を備え、
各貼り合わせ部材は、隣接する貼り付け部との間の重なり部のうち、前記陰茎から見て遠方側で接合されており、
前記固定部材の挿入口は、各貼り合わせ部材の曲線部に囲繞されることによって形成されていることを特徴とする固定部材。
【発明の詳細な説明】
【技術分野】
【０００１】
本発明は、開口を有する袋体として形成される吸収性物品に関するもので、特に、袋体の開口において陰茎を固定する固定手法の改良に関する。
【背景技術】
【０００２】
従来より、男性用体液処理用品の挿入口に挿入された陰茎を、結束バンドおよびスリット式のペニスコネクターによって固定する技術が知られている（例えば、特許文献１）。
【０００３】
【特許文献１】特開２００６−１１５９２６号公報
【発明の開示】
【発明が解決しようとする課題】
【０００４】
ここで、スリット式のペニスコネクターは、板材に切り込みを設けたものであり、陰茎のサイズによってはスリットに陰茎を挿入することができない。また、挿入できた場合であっても、締め付け感が強く、良好な着用感を得ることができないことがある。
【０００５】
そこで、本発明では、吸袋体の開口付近で良好に陰茎を固定することができる吸収性物品、および固定部材を提供することを目的とする。
【課題を解決するための手段】
【０００６】
上記の課題を解決するため、請求項１の発明は、開口を有する袋体として形成される吸収性物品であって、前記袋体の前記開口に設けられており、陰茎を前記袋体内で固定する固定部材、を備え、前記固定部材は、前記陰茎側の形状が曲線状となる複数の貼り合わせ部材、を有しており、前記固定部材の挿入口は、各貼り合わせ部材の曲線部に囲繞されることによって形成されており、各貼り合わせ部材は、隣接する貼り合わせ部材との間の重なり部のうち、前記挿入口から見て遠方側で接合されていることを特徴とする。
【０００７】
また、請求項２の発明は、請求項１に記載の吸収性物品において、各貼り合わせ部材は、隣接する貼り合わせ部材のうちの一方の上側となり、他方の下側となるように配置されていることを特徴とする。
【０００８】
また、請求項３の発明は、請求項１または請求項２に記載の吸収性物品において、各貼り合わせ部材は、扇形状の部材であることを特徴とする。
【０００９】
また、請求項４の発明は、請求項１ないし請求項３のいずれかに記載の吸収性物品において、各貼り合わせ部材の少なくとも肌面側が、不織布で構成されていることを特徴とする。
【００１０】
また、請求項５の発明は、請求項１ないし請求項４のいずれかに記載の吸収性物品において、各貼り合わせ部材は、ポリウレタンを不織布で包被することにより形成されていることを特徴とする。
【００１１】
また、請求項６の発明は、請求項１ないし請求項３のいずれかに記載の吸収性物品において、各貼り合わせ部材は、溶着によって接合されていることを特徴とする。
【００１２】
また、請求項７の発明は、開口を有する袋体として形成される吸収性物品につき、前記開口で陰茎を固定する固定部材であって、前記陰茎側の形状が曲線状となる複数の貼り合わせ部材、を備え、各貼り合わせ部材は、隣接する貼り付け部との間の重なり部のうち、前記陰茎から見て遠方側で接合されており、前記固定部材の挿入口は、各貼り合わせ部材の曲線部に囲繞されることによって形成されていることを特徴とする。
【発明の効果】
【００１３】
請求項１ないし請求項７に記載の発明によれば、挿入口から袋体内に陰茎が挿入されると、各貼り合わせ部材の曲線部は、陰茎と当接して陰茎の大きさ（外径）に応じて袋体の内側に折れ曲がる。また、袋体内に挿入された陰茎が挿入方向と逆側に移動すると、陰茎には、挿入時に折れ曲がった曲線部表面からの摩擦力が働く。これにより、陰茎の大きさによらず、袋体内から陰茎が抜けることを抑制できる。そのため、陰茎を袋体内の適切な位置にて確実に固定することができる。
【００１４】
また、請求項１ないし請求項７に記載の発明によれば、陰茎は、複数の貼り合わせ部材によって形成された固定部材で固定される。そのため、着用者への締め付け感が少なく、着用者は良好な着用感を得ることができる。
【００１５】
特に、請求項２に記載の発明によれば、各貼り合わせ部材は、隣接する貼り合わせ部材のうちの一方の上側となり、他方の下側となるように配置されており、各貼り合わせ部材の曲線部は、陰茎の挿入によって袋体の内側に均一に折れ曲がる。
【００１６】
特に、請求項３に記載の発明によれば、各貼り合わせ部材は、扇形状とされており、各扇形の円弧付近は、陰茎の挿入によって袋体の内側に良好に折れ曲がる。そのため、袋体内から陰茎が抜けることをさらに抑制でき、陰茎を袋体内の適切な位置にてさらに確実に固定することができる。
【００１７】
また、請求項３に記載の発明によれば、各貼り合わせ部材は扇形状とされており、各貼り合わせ部材と陰茎とが接触する部分はなめらかな曲線となるので、良好な着用感が得られる。
【００１８】
特に、請求項４に記載の発明によれば、各貼り合わせ部材の少なくとも肌面側は不織布で構成されているので、良好な着用感が得られる。
【００１９】
特に、請求項５に記載の発明によれば、各貼り合わせ部材は、柔らかく弾力性に富み、肌に沿った形状に変形するポリウレタンを不織布で包被することにより形成されている。これにより、陰茎への密着性および着用者の肌触り感を向上させることができる。そのため、陰茎をさらに確実に固定しつつ、着用者に良好な着用感を与えることができる。
【００２０】
また、請求項５に記載の発明によれば、ポリウレタンが液を通さないので、排泄物や体液の漏れを防止できる。
【００２１】
特に請求項６に記載の発明によれば、各貼り合わせ部材は、溶着によって確実に接合されている。そのため、挿入時に貼り合わせ部材の接合部が外れることがなく、固定部材によって陰茎を安定して固定することができる。
【発明を実施するための最良の形態】
【００２２】
以下、図面を参照しつつ本発明の実施の形態について詳細に説明する。
【００２３】
＜１．採尿袋の構成＞
図１は、本実施の形態における採尿袋を平面上に展開した図である。図２は、採尿袋１を折曲線Ｌ方向から見た断面図である。図３は、図２の吸収パッドをＶＩ−ＶＩ’線から見た断面図である。
【００２４】
採尿袋１は、男性の排泄物や体液（例えば尿）を捕集する吸収性物品であり、おむつや下着等の着用物品とともに使用される。図１および図２に示すように、採尿袋１は、主として、吸収パッド２０と、固定部材６０と、を備えている。なお、採尿袋１は、おむつとともに使用される場合、補助的な吸収具として使用される。
【００２５】
ここで、吸収パッド２０は、次の手順により袋体の採尿袋１とされる。まず、表面シート３０が袋体内となり、背面シート４０が袋体の外表面となるよう、吸収パッド５が折曲線Ｌを中心に折り返される。次に、折曲線Ｌに連なる側縁部２２が接合される。これにより、吸収パッド２０の上端縁部２３および下端縁部２４に囲繞される開口が形成される。そして、下端縁部２４に設けられた固定部材６０の端部６１が、上端縁部２３と接合される。これにより、採尿袋１の開口は、挿入口６０ａを除き、固定部材６０によって閉鎖される。
【００２６】
なお、側縁部２２、上端縁部２３、および固定部材６０における接合は、溶着（熱溶着、超音波溶着）、あるいは接着剤（例えば、ホットメルト接着剤）による接着等のいずれか一つ又はそれら複数の組み合わせ等により行われる。また、採尿袋１は、少なくとも、開口を有する袋体として形成されていればよく、採尿袋１の形成手順は、上述のものに限定されない。
【００２７】
吸収パッド５は、図２のに示すように、平面視略矩形形状を有しており、主として、表面シート３０と、背面シート４０と、吸収体５０と、を有している。なお、本実施の形態における「矩形」には、長方形だけでなく、正方形も含まれるものとする。
【００２８】
表面シート３０は、平面視略矩形状のシート材であり、吸収体５０を固定するために使用される。また、表面シート３０は、採尿袋１内に挿入された着用者の陰茎と接触するため、肌触りの良い素材によって形成されている。
【００２９】
ここで、表面シート３０の素材としては、通常使い捨ておむつに使われる透液性のシート材料、例えば、（１）親水性繊維（セルロース、レーヨン、コットン等）を用いた不織布材料、（２）疎水性繊維（ポリプロピレン、ポリエチレン、ポリエステル、ポリアミド、ナイロン等）の表面を界面活性剤により処理し透液性とした不織布材料、あるいは、（３）開孔を有するプラスティックフィルム等、が用いられる。
【００３０】
吸収体５０は、図１ないし図３に示すように、平面視略矩形状の板体である。また、吸収体５０は、表面シート３０に包被されており、表面シート３０と吸収体５０とが接触する部位は、例えば接着剤によって接着されている。また、吸収体５０は、例えば、粉砕したパルプ繊維やセルロース繊維等の親水性繊維集合層に粒状のポリマー（高分子吸水体）を混合した吸収コアと、この吸収コアを包被する被膜シート（例えば、ティッシュペーパー）と、を有している。これにより、採尿袋１内の捕集空間３５に排出された尿は、吸収体５０によって吸収される。
【００３１】
背面シート４０は、表面シート３０と同様に、平面視略矩形状のシート材であり、図４および図２に示すように、主として、透液性の不織布で構成される透液シート４１と、撥水シート４２と、を有している。これら透液シート４１および撥水シート４２は、例えば、接着剤によって貼り合わされている。
【００３２】
ここで、透液シート４１の素材としては、表面シート３０と同様に、例えば、（１）親水性繊維を用いた不織布材料、（２）疎水性繊維の表面を界面活性剤により処理し透液性とした不織布材料、あるいは、（３）開孔を有するプラスティックフィルム等、が用いられる。一方、撥水シート４２の素材としては、撥水性のシート材料、あるいは液不透過性のシート材料、好ましくは、通常使い捨ておむつに用いられる撥水性不織布材料（スパンボンド不織布、メルトブロー不織布、ＳＭＳ不織布等）、あるいはプラスティックフィルム（通気性であっても非通気性であっても良いが、より快適な態様としては通気性プラスティックフィルム）、が用いられる。さらに、撥水シート４２は、これらの材料を複合して形成されてもよい。
【００３３】
また、図２および図３に示すように、透液シート４１と撥水シート４２との間には、多数の粒状ポリマー（高分子吸収体）５３が分散して配置されている。さらに、背面シート４０は、透液シート４１と表面シート３０とが対向するように、配設されている。したがって、吸収体５０で吸収された尿は、採尿袋１外にしみ出ることなく捕集される。
【００３４】
上端縁部２３側のシール部７０は、図２および図３に示すように、表面シート３０と背面シート４０とを、上端縁部２３側で略線状に接合する。また、下端縁部２４側のシール部７０は、表面シート３０および背面シート４０に加えて固定部材６０を、下端縁部２４側で略線状に接合する。すなわち、吸収体５０は、背面シート４０と接合されていない。そのため、吸収体５０は、背面シート４０に拘束されず膨張することができる。
【００３５】
なお、各シール部７０における接合は、側縁部２２、上端縁部２３、および固定部材６０における接合と同様に、溶着（熱溶着、超音波溶着）、あるいは接着剤（例えば、ホットメルト接着剤）による接着等のいずれか一つ又はそれら複数の組み合わせ等により行われる。
【００３６】
固定部材６０は、採尿袋１の開口に設けられており、陰茎の先端が採尿袋１内の捕集空間３５に位置するよう、陰茎を開口付近で固定する。なお、固定部材６０の詳細については、後述する。
【００３７】
＜２．固定部材の構成＞
図４は、固定部材６０の構成を説明するための図である。図５は、図４の固定部材６０をＶＩＩ−ＶＩＩ’線から見た断面図である。固定部材６０は、採尿袋１の開口（上端縁部２３および下端縁部２４に囲繞される開口）に設けられたシート材であり、捕集空間３５（図２参照）に挿入された着用者の陰茎が抜けること抑制する。図４に示すように、固定部材６０は、複数（本実施の形態では、４つ）の貼り合わせ部材６３（６３ａ〜６３ｄ）を有している。
【００３８】
各貼り合わせ部材６３は、図４に示すように、中心角が約９０度の扇形状の部材である。各貼り合わせ部材６３は、陰茎側（すなわち、挿入口６０ａ側）の形状が曲線状となるように形成されている。また、図５に示すように、各貼り合わせ部材６３は、柔らかく弾力性に富み、肌に沿った形状に変形するポリウレタン６９ｂを基材としている。さらに、ポリウレタン６９ｂは上下から不織布６９ａによって挟み込むことによって形成されている。すなわち、貼り合わせ部材６３は、ポリウレタン６９ｂを不織布６９ａで包被することにより形成されている。このように、各貼り合わせ部材６３の少なくとも陰茎側（着用者の肌面側）は、不織布で構成されている。
【００３９】
これにより、固定部材６０について、陰茎への密着性および着用者の肌触り感を向上させることができる。そのため、固定部材６０によって陰茎をさらに確実に固定しつつ、着用者に良好な着用感を与えることができる。
【００４０】
ここで、不織布６９ａの素材としては、親水性繊維（セルロース、レーヨン、もしくはコットン等）を用いた不織布材料、疎水性繊維（ポリプロピレン、ポリエチレン、ポリエステル、ポリアミド、もしくはナイロン等）の表面を界面活性剤により処理して透液性とした不織布材料、または、撥水性不織布材料（スパンボンド不織布、メルトブロー不織布、もしくはＳＭＳ不織布等）等、が用いられる。
【００４１】
また、複数の貼り合わせ部材６３は、次の手順により平面視略矩形状の固定部材６０とされる。まず、図４に示すように、各貼り合わせ部材６３の曲線部６０ｂがそれぞれ向き合い、かつ、隣接する貼り合わせ部材６３が重なり部６２で重複するように、各貼り合わせ部材６３が配置される。
【００４２】
このとき、各貼り合わせ部材６３は、隣接する貼り合わせ部材６３のうちの一方の上側となり、他方の下側となるように配置されている。例えば、図４および図５に示すように、貼り合わせ部材６３ａは、隣接する（一方の）貼り合わせ部材６３ｂの上側となり、隣接する（他方の）貼り合わせ部材６３ｄの下側となるように、配置されている。また、貼り合わせ部材６３ｃは、貼り合わせ部材６３ｂの下側となり、貼り合わせ部材６３ｄの上側となるように、配置されている。
【００４３】
このように、各貼り合わせ部材６３の中心角が外側となり、かつ、隣接する貼り合わせ部材６３が重なり部６２で重複して配置されると、固定部材６０の中心付近には各貼り合わせ部材６３の曲線部６０ｂによって囲繞される空間が形成される。すなわち、固定部材６０の中心部付近には、縁部の輪郭が略曲線状となる挿入口６０ａが形成される。
【００４４】
次に、挿入口６０ａを形成するように配置された各貼り合わせ部材６３は、隣接する貼り合わせ部材６３との間の重なり部６２で接合される。すなわち、各貼り合わせ部材６３は、重なり部６２のうち、挿入口６０ａ（言い換えると、挿入された陰茎）から見て遠方側の接合部６４（６４ａ〜６４ｄ）で接合されている。
【００４５】
このように、各貼り合わせ部材６３は、溶着によって確実に接合されている。これにより、陰茎が挿入口６０ａに挿入される場合において、各貼り合わせ部材６３の接合部６４が外れることがない。そのため、固定部材６０によって陰茎を安定して固定することができる。
【００４６】
なお、本実施の形態では、隣接する貼り合わせ部材６３の間に重なり部６２を設けるため、各貼り合わせ部材６３の半径は、矩形状の固定部材６０の一辺の長さの半分より大きくなるように設定されている。また、固定部材６０の中心部付近に挿入口６０ａを設けるため、貼り合わせ部材６３の半径は、矩形状の固定部材６０の対角線の長さの半分より小さくなるように設定されている。また、各接合部６４における接合は、溶着（熱溶着、超音波溶着）、あるいは接着剤（例えば、ホットメルト接着剤）による接着等のいずれか一つ又はそれら複数の組み合わせ等により行われる。
【００４７】
図６は、貼り合わせ部材６３の折れ曲がり状況を説明するため斜視図である。図６に示すように、挿入口６０ａから採尿袋１内の捕集空間３５に着用者の陰茎が挿入されると、各貼り合わせ部材６３の曲線部６０ｂ（すなわち、各扇形の円弧付近）は、陰茎と当接して陰茎の大きさ（外径）に応じて捕集空間３５側（採尿袋１内）に折れ曲がる。また、採尿袋１内に挿入された陰茎が挿入方向ＡＲ１と逆側に移動すると、陰茎には挿入時に折れ曲がった曲線部６０ｂ表面からの摩擦力が働く。これにより、陰茎の大きさによらず、捕集空間３５から陰茎が抜けることを抑制できる。そのため、陰茎を採尿袋１内の適切な位置にて確実に固定することができる。
【００４８】
また、陰茎を固定する固定部材６０は、複数の貼り合わせ部材６３によって形成されている。そのため、着用者への締め付け感が少なく、着用者は、良好な着用感を得ることができる。さらに、各貼り合わせ部材６３は、隣接する貼り合わせ部材６３のうちの一方の上側となり、他方の下側となるように配置されており、各貼り合わせ部材６３の曲線部６０ｂは、陰茎の挿入によって袋体の内側に均一に折れ曲がる。そのため、捕集空間３５から陰茎が抜けることをさらに抑制でき、陰茎を採尿袋１内の適切な位置にてさらに確実に固定することができる。
【００４９】
＜３．本実施の形態の採尿袋の利点＞
以上のように、本実施の形態の採尿袋１の固定部材６０は、陰茎の大きさによらず、捕集空間３５から陰茎が抜けることを抑制できる。そのため、陰茎を採尿袋１内の適切な位置にて確実に固定することができる。また、固定部材６０は、着用者への締め付け感を軽減し、良好な着用感を与えることができる。
【００５０】
＜４．変形例＞
以上、本発明の実施の形態について説明してきたが、本発明は上記実施の形態に限定されるものではなく様々な変形が可能である。
【００５１】
（１）本実施の形態において、固定部材６０を形成する貼り合わせ部材６３は、扇形状の部材であるものとして説明したが、貼り合わせ部材の形状は、これに限定されるものでない。図７および図９は、それぞれ貼り合わせ部材の形状の他の例を説明するための図である。また、図８および図１０は、それぞれ図７および図９の貼り合わせ部材によって構成される固定部材６０を説明するための図である。
【００５２】
貼り合わせ部材６５（６５ａ〜６５ｄ）は、図７に示すように、半楕円状のシート材であり、曲線部６０ｂにおける陰茎側の形状は、弧状膨出曲線とされている。また、貼り合わせ部材６５は、貼り合わせ部材６３と同様な素材によって形成されている。また、図８に示すように、各貼り合わせ部材６５は、隣接する貼り合わせ部材６５のうちの一方の上側となり、他方の下側となるように配置されている。さらに、各貼り合わせ部材６５は、重なり部６２のうち、挿入口６０ａから見て遠方側の接合部６６（６６ａ〜６６ｄ）で接合されている。
【００５３】
一方、図９に示すように、貼り合わせ部材６７（６７ａ〜６７ｄ）は、一点鎖線を挟んで左半部が略扇形状とされ、右半部が略四分の一楕円状とされたシート材である。曲線部６０ｂにおける陰茎側の形状は、貼り合わせ部材６５と同様に、弧状膨出曲線とされている。また、貼り合わせ部材６７は、貼り合わせ部材６３と同様な素材によって形成されている。また、図１０に示すように、各貼り合わせ部材６７は、隣接する貼り合わせ部材６７のうちの一方の上側となり、他方の下側となるように配置されている。さらに、各貼り合わせ部材６７は、重なり部６２のうち、挿入口６０ａから見て遠方側の接合部６８（６８ａ〜６８ｄ）で接合されている。
【００５４】
このように、貼り合わせ部材６５、６７を用いた場合においても、固定部材６０の挿入口６０ａは、各貼り合わせ部材６５、６７の曲線部に囲繞されることによって形成されている。そのため、貼り合わせ部材６５、６７を用いた固定部材６０は、貼り合わせ部材６３を用いた場合と同様に、陰茎を採尿袋１内の適切な位置にて確実に固定することができるとともに、着用者への締め付け感を軽減し、着用者に良好な着用感を与えることができる。
【００５５】
（２）また、本実施の形態において、固定部材６０は、４個の貼り合わせ部材６３によって形成されるものとして説明したが、貼り合わせ部材の個数は、これに限定されるものでない。図１０に示すように、固定部材６０は、８個の貼り合わせ部材６７によって形成されてもよいし、４個または８個以外の複数の貼り合わせ部材によって形成されてもよい。
【図面の簡単な説明】
【００５６】
【図１】本発明の実施の形態における採尿袋を平面状に展開した図である。
【図２】採尿袋を折曲線方向から見た断面図である。
【図３】図２の吸収パッドをＶＩ−ＶＩ’線から見た断面図である。
【図４】固定部材の構成を説明するための図である。
【図５】図４の固定部材をＶＩＩ−ＶＩＩ’線から見た断面図である。
【図６】各貼り合わせ部材の折れ曲がり状況を説明するため斜視図である。
【図７】貼り合わせ部材の形状の他の例を説明するための図である。
【図８】図７の貼り合わせ部材によって構成される固定部材を説明するための図である。
【図９】貼り合わせ部材の形状の他の例を説明するための図である。
【図１０】図９の貼り合わせ部材によって構成される固定部材を説明するための図である。
【符号の説明】
【００５７】
１    採尿袋（吸収性物品）
２０  吸収パッド
３０  表面シート
３５  捕集空間
４０  背面シート
５０  吸収体
６０  固定部材
６０ａ  挿入口
６０ｂ  曲線部
６２  重なり部
６３（６３ａ〜６３ｄ）、６５（６５ａ〜６５ｄ）、６７（６７ａ〜６７ｄ）  貼り合わせ部材
６４（６４ａ〜６４ｄ）、６６（６６ａ〜６６ｄ）、６８（６８ａ〜６８ｄ）  接合部
６９ａ  不織布
６９ｂ  ポリウレタン
ＡＲ１  挿入方向
【図１】
2009131395.tif 000003
【図２】
2009131395.tif 000004
【図３】
2009131395.tif 000005
【図４】
2009131395.tif 000006
【図５】
2009131395.tif 000007
【図６】
2009131395.tif 000008
【図７】
2009131395.tif 000009
【図８】
2009131395.tif 000010
【図９】
2009131395.tif 000011
【図１０】
2009131395.tif 000012